(57)【要約】      （修正有）【課題】回転及びスライド可能な運動器具を提供する。【解決手段】本運動器具は、台座１０と、該台座１０に設けられる支柱１３と、スイングアーム３０と、支持装置５０とを備える。台座１０には、レール１１が設けられる。スイングアーム３０は、底部３５がレール１１に架設され、レール１１に沿って左右にスライドまたはスイング可能である。支持装置５０は、スイングアーム３０に架設され、スイングアーム３０に沿って上下にスライドする。これにより、使用者は、支持装置５０を駆動し、レール１１に沿って左右にスライドまたはスイングしながら、スイングアーム３０の案内棒３３に沿って上下にスライドすることができる。これにより、使用者は一種の運動器具を購入するだけで、同時に回転及びスライドの運動効果を達成することができる。【選択図】図１
0003167254.tif 000002
【実用新案登録請求の範囲】
【請求項１】
台座と、前記台座に設けられる支柱と、スイングアームと、支持装置とを備え、
前記台座には、レールが設けられ、
前記スイングアームは、底部が前記レールに架設され、前記レールに沿って左右にスライドまたはスイング可能であり、
前記支持装置は、前記スイングアームに架設され、前記スイングアームに沿って上下にスライド可能であることを特徴とする運動器具。
【請求項２】
前記スイングアームは、上部に前記支柱に架設されるスリーブを備えることを特徴とする請求項１に記載の運動器具。
【請求項３】
前記支持装置は、前記スイングアームに架設される殻体、及び前記殻体に設けられるシートを備えることを特徴とする請求項１に記載の運動器具。
【考案の詳細な説明】
【技術分野】
【０００１】
本考案は、運動器具に関し、詳しくは回転およびスライド式運動器具に関する。
【背景技術】
【０００２】
従来、回転式またはスライド式運動器具は、回転またはスライド式の運動動作のみが行え、同時に回転式とスライド式の運動動作を行うことができない。
【考案の概要】
【考案が解決しようとする課題】
【０００３】
本考案は、回転及びスライド可能な運動器具を提供することを目的とする。
【課題を解決するための手段】
【０００４】
上記目的を達成するため、本考案による運動器具は、台座と、台座に設けられる支柱と、スイングアームと、支持装置とを備える。台座には、レールが設けられる。スイングアームは、底部がレールに架設され、レールに沿って左右にスライドまたはスイング可能である。支持装置は、スイングアームに架設され、スイングアームに沿って上下にスライドする。
【図面の簡単な説明】
【０００５】
【図１】本考案の一実施形態による運動器具の分解斜視図である。
【図２】本考案の一実施形態による運動器具の斜視図その一である。
【図３】本考案の一実施形態による運動器具の斜視図その二である。
【図４】本考案の一実施形態による運動器具の斜視図その三である。
【図５】本考案の一実施形態による運動器具の斜視図その四である。
【図６】本考案の一実施状態による運動器具の側面図その一である。
【図７】本考案の一実施状態による運動器具の側面図その二である。
【図８】本考案の一実施状態による運動器具の使用状態を示す模式図である。
【図９】本考案の一実施状態による運動器具の他の使用状態を示す模式図である。
【考案を実施するための形態】
【０００６】
（一実施形態）
図１から図４に示すように、本考案による運動器具は、台座１０を備える。弧形のレール１１は、台座１０の後部１２に設けられる。支柱１３は、台座１０の前部１４に設けられ、使用者８０を支えるための取っ手１５の取り付けに用いられ（図６、図７参照）、頂上端１７に止め金１６が設けられる（図１参照）。
【０００７】
スイングアーム３０の上部３１は、スリーブ３２を備える。スリーブ３２は、支柱１３の頂上端１７に架設される。止め金１６は、スリーブ３２を位置きめる。スイングアーム３０は、上部３１または中間部に直接枢軸を用いて台座１０に連結され、一本または一本以上の案内棒３３、及び一つまたは一つ以上のローラ３４を備える。本実施形態において、案内棒３３を二本とし、ローラ３４を二つとする。ローラ３４は、スイングアーム３０の底部３５に架設されてレール１１に取り付けられる。これにより、スイングアーム３０はレール１１に沿って左右にスライドまたはスイングすることができる。スイングアーム３０の案内棒３３、３３は、底部３５、３５の間に設けられる連結部材３６と、上部３１、３１の間に設けられる連結部材３７とを用いて連結される。
【０００８】
支持装置５０は、スイングアーム３０の案内棒３３にスライドするように設けられる殻体５１を備える。殻体５１は、底部に設けられる一本または一本以上の軸５２、及び軸５２に設けられ、スイングアーム３０の案内棒３３に取り付けられる一つまたは一つ以上のローラ５３を備える。これにより、支持装置５０はスイングアーム３０の案内棒３３に沿って上下にスライドすることができる。
【０００９】
支持装置５０は更に、軸５２に設けられ、スイングアーム３０の案内棒３３に取り付けられる一つまたは一つ以上のローラ５４を備える。ローラ５４によって、殻体５１は、スイングアーム３０に堅固に連結してスイングアーム３０から離脱しなくなる。支持装置５０は更に、殻体５１に設けられ、使用者８０のお尻、膝または足を支えることに用いられるシート５５を備える。ねじ６０によって支持装置５０の殻体５１をスイングアーム３０に固定し、スイングアーム３０に沿って上下にスライドしないようにする。
【００１０】
図２から図４に示すように、操作する場合、使用者８０は、シート５５に座り、立ち、または膝まづき、取っ手１５を握って支持装置５０の殻体５１とシート５５とを駆動し、レール１１に沿って左右または上下にスライドすることができる。つづいて図５から図７に示すように、使用者８０は、支持装置５０の殻体５１とシート５５とを駆動し、スイングアーム３０の案内棒３３に沿って上下にスライドすることができる。または、図８と図９に示すように、使用者８０は、支持装置５０の殻体５１とシート５５とを駆動し、レール１１に沿って左右にスライドまたはスイングしながら、スイングアーム３０の案内棒３３に沿って上下にスライドすることができる。これにより、使用者は一種の運動器具を購入するだけで、同時に回転及びスライドの運動効果を達成することができる。
【００１１】
スイングアーム３０の上部３１は、回転可能に支柱１３に架設される。これにより、スイングアーム３０、または殻体５１およびシート５５は、大幅のスライドまたはスイングの動作が行うことができる。スイングアーム３０は、上部３１と底部３５とが支えが得られるので、堅固である。
【符号の説明】
【００１２】
１０    ・・・台座
１１    ・・・レール
１２    ・・・後部
１３    ・・・支柱
１４    ・・・前部
１５    ・・・取っ手
１６    ・・・止め金
１７    ・・・頂上端
２０    ・・・スイングアーム
３１    ・・・上部
３２    ・・・スリーブ
３３    ・・・案内棒
３４    ・・・ローラ
３５    ・・・底部
３６    ・・・連結部材
３７    ・・・連結部材
５０    ・・・支持装置
５１    ・・・殻体
５２    ・・・軸
５３    ・・・ローラ
５５    ・・・シート
６０    ・・・ねじ
８０    ・・・使用者
【図１】
0003167254.tif 000003
【図２】
0003167254.tif 000004
【図３】
0003167254.tif 000005
【図４】
0003167254.tif 000006
【図５】
0003167254.tif 000007
【図６】
0003167254.tif 000008
【図７】
0003167254.tif 000009
【図８】
0003167254.tif 000010
【図９】
0003167254.tif 000011